【手続補正書】
【提出日】平成17年1月13日(2005.1.13)
【手続補正１】
【補正対象書類名】明細書
【補正対象項目名】特許請求の範囲
【補正方法】変更
【補正の内容】
【特許請求の範囲】
【請求項１】
入力３原色信号に対してガンマ補正を行い、補正後の被補正３原色信号を出力するガンマ補正手段と、
前記ガンマ補正手段の前記被補正３原色信号に基づき、前記入力３原色信号によって与えられる第１画像を表示する画像表示部と、
前記被補正３原色信号のそれぞれに対して１画面当りに関する平均化処理を行って、前記入力３原色信号それぞれの平均の明るさを与える被平均化３原色信号を生成して出力する平均の明るさ算出手段と、
少なくとも１種類の測定用１画面を与える３原色テストパターン信号を出力するテストパターン発生手段と、
前記画像表示部の発光特性と同一の発光特性、及び前記画像表示部の経時変化特性と同一の経時変化特性を有し、通常動作期間においては前記被平均化３原色信号に対応する第２画像を表示する一方、補正期間においては前記３原色テストパターン信号に対応する第３画像を表示する測定用表示部と、
前記測定用表示部の表示面に対向して配置され、前記補正期間において前記測定用表示部が表示する前記第３画像の前記３原色の明るさを検出して、被検出３原色明るさ信号を出力する光センサと、
前記被検出３原色明るさ信号に基づいて、前記第１画像のホワイトバランスを補正する変換データを生成して出力するガンマ補正制御部とを備え、
前記ガンマ補正手段は、前記変換データに基づき前記ガンマ補正を行うことを特徴とするカラーディスプレイ装置。
【請求項２】
入力３原色信号に対してガンマ補正を行い、補正後の被補正３原色信号を出力するガンマ補正手段と、
前記ガンマ補正手段の前記被補正３原色信号に基づき前記３原色に関する第１駆動信号を生成し、前記第１駆動信号を出力する画像表示部駆動手段と、
前記第１駆動信号に基づき、前記入力３原色信号によって与えられる第１画像を表示する画像表示部と、
前記画像表示部の第１発光特性と同一の第２発光特性及び前記画像表示部の第１経時変化特性と同一の第２経時変化特性を有し、通常動作期間においては第２画像を表示する一方、補正期間においては第３画像を表示する測定用表示部と、
前記ガンマ補正手段の前記被補正３原色信号のそれぞれに対して１画面当りに関する平均化処理を行って、前記入力３原色信号それぞれの平均の明るさを与える被平均化３原色信号を生成し、前記被平均化３原色信号を出力する平均の明るさ算出手段と、
少なくとも１種類の測定用１画面を与える３原色テストパターン信号を保有すると共に、前記３原色テストパターン信号を出力するテストパターン発生手段と、
第１制御信号のレベルに応じて、前記平均の明るさ算出手段から出力された前記被平均化３原色信号を出力する第１の接続、または前記テストパターン発生手段から出力された前記３原色テストパターン信号を出力する第２の接続とを切替える切換手段と、
前記切換手段の出力信号に基づき前記３原色に関する第２駆動信号を生成し、前記第２駆動信号を出力する測定用表示部駆動手段と、
前記通常動作期間においては前記切換手段に対して前記第１接続を指令する第１レベルを有する一方、前記補正期間においては前記切換手段に対して前記第２接続を指令する第２レベルを有する前記第１制御信号を生成して出力する切換手段制御部と、
前記測定用表示部の表示面に対向配置されており、前記補正期間において前記測定用表示部が表示する、測定用基本パターンである前記第３画像の前記３原色の明るさを検出して、被検出３原色明るさ信号を出力する光センサと、
前記測定用表示部駆動手段において前記３原色テストパターン信号より生成される前記第２駆動信号のレベルデータを保有しており、前記レベルデータ及び前記被検出３原色明るさ信号に基づいて、少なくとも前記第１画像のホワイトバランスを補正するために必要な前記第１駆動信号の補正量に相当する変換テーブルデータを生成し、前記変換テーブルデータを第２制御信号として出力するガンマ補正制御部とを備え、
前記ガンマ補正手段は、前記第２制御信号が与える前記変換テーブルデータに基づき前記ガンマ補正を行うことを特徴とする、カラーディスプレイ装置。
【請求項３】
請求項２記載のカラーディスプレイ装置であって、
前記ガンマ補正制御部は、
（ａ）  前記レベルデータ及び前記被検出３原色明るさ信号に基づいて、前記３原色に関する、前記第２駆動信号と前記第３画像における明るさとの関係を示す近似曲線を与えるデータを生成する手段と、
（ｂ）  前記第１画像における前記３原色それぞれの明るさの比率を所定の比率とするために必要な、前記３原色の内の基準色に関する前記第１駆動信号の第１レベルに対する他の２色に関する前記第１駆動信号の第２及び第３レベルを与える暫定的変換テーブルデータを、前記近似曲線データに基づいて生成する手段と、
（ｃ）  前記第１駆動信号の前記第１レベルに対して、▲１▼前記基準色に関しては前記第１駆動信号の前記第１レベル自体を前記第１駆動信号の第１補正レベルとして与え、▲２▼前記他の２色の一方に関しては前記第１駆動信号の前記第１レベルと前記第２レベルとで規定され且つ前記第１及び第２レベルを除く範囲内のレベルを前記第１駆動信号の第２補正レベルとして与え、且つ、▲３▼前記他の２色の他方に関しては前記第１駆動信号の前記第１レベルと前記第３レベルとで規定され且つ前記第１及び第３レベルを除く範囲内のレベルを前記第１駆動信号の第３補正レベルとして与える制限補正テーブルデータに基づき、前記変換テーブルデータを決定する手段とを更に有することを特徴とする、
カラーディスプレイ装置。
【請求項４】
請求項２記載のカラーディスプレイ装置であって、
所定の時点からの経過時間を計測するタイマを更に備えており、
前記ガンマ補正制御部は、
前記経過時間に対する第１補正係数及び第２補正係数を与え、前記測定用表示部を含む測定系の経時変化特性に基づき定められる補正係数テーブルデータを記憶する手段を更に有しており、
（ａ）  前記レベルデータ及び前記被検出３原色明るさ信号に基づいて、前記３原色に関する、前記第２駆動信号と前記第３画像における明るさとの関係を示す近似曲線を与えるデータを生成する手段と、
（ｂ）  前記第１画像における前記３原色それぞれの明るさの比率を所定の比率とするために必要な、前記３原色の内の基準色に関する前記第１駆動信号の第１レベルに対する他の２色に関する前記第１駆動信号の第２及び第３レベルを与える暫定的変換テーブルデータを、前記近似曲線データに基づいて生成する手段と、
（ｃ）  前記タイマの計測結果に応じて前記補正期間の開始時に対応する現経過時間を求めて、当該現経過時間における前記第１及び第２補正係数の値を前記補正係数テーブルデータより読み取る手段と、
（ｄ）  前記第１駆動信号の前記第１レベルに対して、▲１▼前記基準色に関しては前記第１駆動信号の前記第１レベル自体を前記第１駆動信号の第１補正レベルとして与え、▲２▼前記他の２色の一方に関しては、前記第１補正係数を用いた第１制限処理を前記第１駆動信号の前記第２レベルに実行して得られる第１制限レベルを前記第１駆動信号の第２補正レベルとして与え、且つ、▲３▼前記他の２色の他方に関しては、前記第２補正係数を用いた第２制限処理を前記第１駆動信号の前記第３レベルに実行して得られる第２制限レベルを前記第１駆動信号の第３補正レベルとして与える制限補正テーブルデータを生成する手段と、
（ｅ）  前記制限補正テーブルデータに基づき、前記変換テーブルデータを決定する手段とを更に有することを特徴とする、
カラーディスプレイ装置。
【請求項５】
請求項２記載のカラーディスプレイ装置であって、
所定の時点からの経過時間を計測するタイマを更に備えており、
前記補正期間は、少なくとも、先行する第１補正期間と、前記第１補正期間よりも遅い第２補正期間とを含み、
前記ガンマ補正制御部は、
少なくとも、前記第１補正期間の開始時に相当する第１経過時間に対する第１補正係数及び第２補正係数と、前記第２補正期間の開始時に相当する第２経過時間に対する第１補正係数及び第２補正係数とを与え、前記測定用表示部を含む測定系の経時変化特性に基づき定められる補正係数テーブルデータを記憶する手段を更に有しており、
（ａ）  前記第１及び第２補正期間の各々において得られる前記被検出３原色明るさ信号を受信する毎に、前記レベルデータ及び前記被検出３原色明るさ信号に基づいて、前記３原色に関する、前記第２駆動信号と前記第３画像における明るさとの関係を示す近似曲線を与えるデータを生成する手段と、
（ｂ）  前記第１及び第２補正期間の各々に対応する前記近似曲線データの生成毎に、前記第１画像における前記３原色それぞれの明るさの比率を所定の比率とするために必要な、前記３原色の内の基準色に関する前記第１駆動信号の第１レベルに対する他の２色に関する前記第１駆動信号の第２及び第３レベルを与える暫定的変換テーブルデータを、前記近似曲線データに基づいて生成する手段と、
（ｃ）  前記タイマの計測結果に応じて、前記第１経過時間に対する前記第１及び第２補正係数と、前記第２経過時間に対する前記第１及び第２補正係数とを、それぞれ前記第１及び第２経過時間において前記補正係数テーブルデータより読み取る手段と、
（ｄ）  前記第１及び第２補正期間の各々に対応する前記暫定的変換テーブルデータの生成毎に、前記第１駆動信号の前記第１レベルに対して、▲１▼前記基準色に関しては前記第１駆動信号の前記第１レベル自体を前記第１駆動信号の第１補正レベルとして与え、▲２▼前記他の２色の一方に関しては、前記第１補正係数を用いた第１制限処理を前記第１駆動信号の前記第２レベルに実行して得られる第１制限レベルを前記第１駆動信号の第２補正レベルとして与え、且つ、▲３▼前記他の２色の他方に関しては、前記第２補正係数を用いた第２制限処理を前記第１駆動信号の前記第３レベルに実行して得られる第２制限レベルを前記第１駆動信号の第３補正レベルとして与える制限補正テーブルデータを生成する手段と、
（ｅ）  前記第１及び第２補正期間の各々に対応する前記制限補正テーブルデータの生成毎に、前記制限補正テーブルデータに基づき、前記変換テーブルデータを決定する手段と、
（ｆ）  前記第１及び第２補正期間の各々に対応する前記変換テーブルデータの生成毎に、前記変換テーブルデータを前記第２制御信号として出力する手段とを更に有することを特徴とする、
カラーディスプレイ装置。
【請求項６】
請求項２記載のカラーディスプレイ装置であって、
所定の時点からの経過時間を計測するタイマを更に備えており、
前記補正期間は、少なくとも、先行する第１補正期間と、前記第１補正期間よりも遅い第２補正期間とを含み、
前記ガンマ補正制御部は、
前記第１補正期間の開始時に相当する第１経過時間に対する第１補正係数及び第２補正係数を与え、前記測定用表示部を含む測定系の経時変化特性に基づき定められる補正係数テーブルデータを記憶する手段を更に有しており、
（ａ）  前記第１補正期間において得られる前記被検出３原色明るさ信号の受信に応じて、前記レベルデータ及び前記被検出３原色明るさ信号に基づいて、前記３原色に関する、前記第２駆動信号と前記第３画像における明るさとの関係を示す近似曲線を与えるデータを生成する手段と、
（ｂ）  前記第１補正期間に対応する前記近似曲線データの生成に応じて、前記第１画像における前記３原色それぞれの明るさの比率を所定の比率とするために必要な、前記３原色の内の基準色に関する前記第１駆動信号の第１レベルに対する他の２色に関する前記第１駆動信号の第２及び第３レベルを与える暫定的変換テーブルデータを、前記近似曲線データに基づいて生成する手段と、
（ｃ）  前記タイマの計測結果に応じて、前記第１経過時間に対する前記第１及び第２補正係数を、前記第１経過時間において前記補正係数テーブルデータより読み取ると共に、前記第１補正係数よりも小さい値を有する第１先行補正係数と、前記第２補正係数よりも小さい値を有する第２先行補正係数とを生成する手段と、
（ｄ−１）  前記第１駆動信号の前記第１レベルに対して、▲１▼前記基準色に関しては前記第１駆動信号の前記第１レベル自体を前記第１駆動信号の第１補正レベルとして与え、▲２▼前記他の２色の一方に関しては、前記第１先行補正係数を用いた第１先行制限処理を前記第１駆動信号の前記第２レベルに実行して得られる第１先行制限レベルを前記第１駆動信号の第２先行補正レベルとして与え、且つ、▲３▼前記他の２色の他方に関しては、前記第２先行補正係数を用いた第２先行制限処理を前記第１駆動信号の前記第３レベルに実行して得られる第２先行制限レベルを前記第１駆動信号の第３先行補正レベルとして与える先行制限補正テーブルデータを生成する手段と、
（ｅ−１）  前記先行制限補正テーブルデータに基づき前記先行変換テーブルデータを決定し、前記先行変換テーブルデータを前記第２制御信号として出力する手段と、
（ｄ−２）  前記先行変換テーブルデータの出力後であって且つ前記第２補正期間の到来前の時点において、前記第１駆動信号の前記第１レベルに対して、▲１▼前記基準色に関しては前記第１駆動信号の前記第１レベル自体を前記第１駆動信号の第１補正レベルとして与え、▲２▼前記他の２色の一方に関しては、前記第１補正係数を用いた第１制限処理を前記第１駆動信号の前記第２レベルに実行して得られる第１制限レベルを前記第１駆動信号の第２補正レベルとして与え、且つ、▲３▼前記他の２色の他方に関しては、前記第２補正係数を用いた第２制限処理を前記第１駆動信号の前記第３レベルに実行して得られる第２制限レベルを前記第１駆動信号の第３補正レベルとして与える制限補正テーブルデータを生成する手段と、
（ｅ−２）  前記第２補正期間の到来前において、前記制限補正テーブルデータに基づき前記変換テーブルデータを決定し、前記変換テーブルデータを前記第２制御信号として出力する手段とを更に有することを特徴とする、
カラーディスプレイ装置。
【請求項７】
請求項２記載のカラーディスプレイ装置であって、
前記ガンマ補正制御部は、
前記第１画像の前記ホワイトバランス及び輝度の調整が完了した時点における、前記第１駆動信号に対する３原色それぞれの明るさを与える調整完了時テーブルデータを記憶する手段と、
前記調整完了時テーブルデータ、前記レベルデータ及び前記被検出３原色明るさ信号に基づいて、前記補正期間における前記第１画像の前記ホワイトバランス及び前記輝度がそれぞれ前記調整が完了した時点における前記第１画像の前記ホワイトバランス及び前記輝度に等しくなる様に、前記変換テーブルデータを生成する手段とを更に有することを特徴とする、
カラーディスプレイ装置。
【請求項８】
請求項７記載のカラーディスプレイ装置であって、
前記ガンマ補正制御部は、
（ａ）  前記レベルデータ及び前記被検出３原色明るさ信号に基づいて、前記３原色に関する、前記第２駆動信号と前記第３画像における明るさとの関係を示す近似曲線を与えるデータを生成する手段と、
（ｂ）  前記補正期間における前記第１画像の前記ホワイトバランス及び前記輝度を、前記調整完了時における前記第１画像の前記ホワイトバランス及び前記輝度に等しくするために必要な、前記３原色の第１、第２及び第３色に関する前記第１駆動信号の第１、第２及び第３レベルに対する第１、第２及び第３補正レベルを与える暫定的変換テーブルデータを、前記調整完了時テーブルデータ及び前記近似曲線データに基づいて生成する手段と、
（ｃ）  ▲１▼前記第１色に関しては、前記調整完了時における前記第１駆動信号の前記第１レベルと前記第１補正レベルとで規定され且つ前記調整完了時における前記第１レベル及び前記第１補正レベルを除く範囲内のレベルを、前記第１駆動信号の前記第１レベルに対する、前記第１駆動信号の第１制限補正レベルとして与え、▲２▼前記第２色に関しては、前記調整完了時における前記第１駆動信号の前記第２レベルと前記第２補正レベルとで規定され且つ前記調整完了時における前記第２レベル及び前記第２補正レベルを除く範囲内のレベルを、前記第１駆動信号の前記第２レベルに対する、前記第１駆動信号の第２制限補正レベルとして与え、且つ、▲３▼前記第３色に関しては、前記調整完了時における前記第１駆動信号の前記第３レベルと前記第３補正レベルとで規定され且つ前記調整完了時における前記第３レベル及び前記第３補正レベルを除く範囲内のレベルを、前記第１駆動信号の前記第３レベルに対する、前記第１駆動信号の第３制限補正レベルとして与える制限補正テーブルデータを生成する手段と、
（ｄ）  前記制限補正テーブルデータに基づき前記変換テーブルデータを決定する手段とを更に有することを特徴とする、
カラーディスプレイ装置。
【請求項９】
請求項７記載のカラーディスプレイ装置であって、
所定の時点からの経過時間を計測するタイマを更に備えており、
前記ガンマ補正制御部は、
前記経過時間に対する、前記３原色の第１、第２及び第３色に関する第１、第２及び第３補正係数を与え、前記測定用表示部を含む測定系の経時変化特性に基づき定められる補正係数テーブルデータを記憶する手段を更に有しており、
（ａ）  前記レベルデータ及び前記被検出３原色明るさ信号に基づいて、前記３原色に関する、前記第２駆動信号と前記第３画像における明るさとの関係を示す近似曲線を与えるデータを生成する手段と、
（ｂ）  前記補正期間における前記第１画像の前記ホワイトバランス及び前記輝度を、前記調整完了時における前記第１画像の前記ホワイトバランス及び前記輝度に等しくするために必要な、前記３原色の前記第１、第２及び第３色に関する前記第１駆動信号の第１、第２及び第３レベルに対する第１、第２及び第３補正レベルを与える暫定的変換テーブルデータを、前記調整完了時テーブルデータ及び前記近似曲線データに基づいて生成する手段と、
（ｃ）  前記タイマの計測結果に応じて前記補正期間の開始時に対応する現経過時間を求めて、当該現経過時間における前記第１、第２及び第３補正係数の値を前記補正係数テーブルデータより読み取る手段と、
（ｄ）  ▲１▼前記第１色に関しては、前記第１補正係数を用いた第１制限処理を前記第１駆動信号の前記第１レベルに実行して得られる第１制限レベルを、前記第１駆動信号の前記第１レベルに対する、前記第１駆動信号の第１制限補正レベルとして与え、▲２▼前記第２色に関しては、前記第２補正係数を用いた第２制限処理を前記第１駆動信号の前記第２レベルに実行して得られる第２制限レベルを、前記第１駆動信号の前記第２レベルに対する、前記第１駆動信号の第２制限補正レベルとして与え、且つ、▲３▼前記第３色に関しては、前記第３補正係数を用いた第３制限処理を前記第１駆動信号の前記第３レベルに実行して得られる第３制限レベルを、前記第１駆動信号の前記第３レベルに対する、前記第１駆動信号の第３制限補正レベルとして与える制限補正テーブルデータを生成する手段と、
（ｅ）  前記制限補正テーブルデータに基づき前記変換テーブルデータを決定する手段とを更に有することを特徴とする、
カラーディスプレイ装置。
【請求項１０】
請求項７記載のカラーディスプレイ装置であって、
所定の時点からの経過時間を計測するタイマを更に備えており、
前記補正期間は、少なくとも、先行する第１補正期間と、前記第１補正期間よりも遅い第２補正期間とを含み、
前記ガンマ補正制御部は、
少なくとも、前記第１補正期間の開始時に相当する第１経過時間に対する第１補正係数、第２補正係数及び第３補正係数と、前記第２補正期間の開始時に相当する第２経過時間に対する第１補正係数、第２補正係数及び第３補正係数とを与え、前記測定用表示部を含む測定系の経時変化特性に基づき定められる補正係数テーブルデータを記憶する手段を更に有しており、
（ａ）  前記第１及び第２補正期間の各々において得られる前記被検出３原色明るさ信号を受信する毎に、前記レベルデータ及び前記被検出３原色明るさ信号に基づいて、前記３原色に関する、前記第２駆動信号と前記第３画像における明るさとの関係を示す近似曲線を与えるデータを生成する手段と、
（ｂ）  前記第１及び第２補正期間の各々に対応する前記近似曲線データの生成毎に、前記第１及び第２補正期間の内の当該補正期間における前記第１画像の前記ホワイトバランス及び前記輝度を、前記調整完了時における前記第１画像の前記ホワイトバランス及び前記輝度に等しくするために必要な、前記３原色の前記第１、第２及び第３色に関する前記第１駆動信号の第１、第２及び第３レベルに対する第１、第２及び第３補正レベルを与える暫定的変換テーブルデータを、前記近似曲線データ及び前記調整完了時テーブルデータに基づいて生成する手段と、
（ｃ）  前記タイマの計測結果に応じて、前記第１経過時間に対する前記第１第２及び第３補正係数と、前記第２経過時間に対する前記第１、第２及び第３補正係数とを、それぞれ前記第１及び第２経過時間において前記補正係数テーブルデータより読み取る手段と、
（ｄ）  前記第１及び第２補正期間の各々に対応する前記暫定的変換テーブルデータの生成毎に、▲１▼前記第１色に関しては、前記第１補正係数を用いた第１制限処理を前記第１駆動信号の前記第１レベルに実行して得られる第１制限レベルを、前記第１駆動信号の前記第１レベルに対する、前記第１駆動信号の第１制限補正レベルとして与え、▲２▼前記第２色に関しては、前記第２補正係数を用いた第２制限処理を前記第１駆動信号の前記第２レベルに実行して得られる第２制限レベルを、前記第１駆動信号の前記第２レベルに対する、前記第１駆動信号の第２制限補正レベルとして与え、且つ、▲３▼前記第３色に関しては、前記第３補正係数を用いた第３制限処理を前記第１駆動信号の前記第３レベルに実行して得られる第３制限レベルを、前記第１駆動信号の前記第３レベルに対する、前記第１駆動信号の第３制限補正レベルとして与える制限補正テーブルデータを生成する手段と、
（ｅ）  前記第１及び第２補正期間の各々に対応する前記制限補正テーブルデータの生成毎に、前記制限補正テーブルデータに基づき、前記変換テーブルデータを決定する手段と、
（ｆ）  前記第１及び第２補正期間の各々に対応する前記変換テーブルデータの生成毎に、前記変換テーブルデータを前記第２制御信号として出力する手段とを更に有することを特徴とする、
カラーディスプレイ装置。
【請求項１１】
請求項７記載のカラーディスプレイ装置であって、
所定の時点からの経過時間を計測するタイマを更に備えており、
前記補正期間は、少なくとも、先行する第１補正期間と、前記第１補正期間よりも遅い第２補正期間とを含み、
前記ガンマ補正制御部は、
前記第１補正期間の開始時に相当する第１経過時間に対する第１補正係数、第２補正係数及び第３補正係数を与え、前記測定用表示部を含む測定系の経時変化特性に基づき定められる補正係数テーブルデータを記憶する手段を更に有しており、
（ａ）  前記第１補正期間において得られる前記被検出３原色明るさ信号の受信に応じて、前記レベルデータ及び前記被検出３原色明るさ信号に基づいて、前記３原色に関する、前記第２駆動信号と前記第３画像における明るさとの関係を示す近似曲線を与えるデータを生成する手段と、
（ｂ）  前記第１補正期間に対応する前記近似曲線データの生成に応じて、前記第１補正期間における前記第１画像の前記ホワイトバランス及び前記輝度を、前記調整完了時における前記第１画像の前記ホワイトバランス及び前記輝度に等しくするために必要な、前記３原色の前記第１、第２及び第３色に関する前記第１駆動信号の第１、第２及び第３レベルに対する第１、第２及び第３補正レベルを与える暫定的変換テーブルデータを、前記調整完了時テーブルデータ及び前記近似曲線データに基づいて生成する手段と、
（ｃ）  前記タイマの計測結果に応じて、前記第１経過時間に対する前記第１第２及び第３補正係数を、前記第１経過時間において前記補正係数テーブルデータより読み取ると共に、前記第１補正係数よりも小さい値を有する第１先行補正係数と、前記第２補正係数よりも小さい値を有する第２先行補正係数と、前記第３補正係数よりも小さい値を有する第３先行補正係数と、を生成する手段と、
（ｄ−１）  ▲１▼前記第１色に関しては、前記第１先行補正係数を用いた第１先行制限処理を前記第１駆動信号の前記第１レベルに実行して得られる第１先行制限レベルを、前記第１駆動信号の前記第１レベルに対する、前記第１駆動信号の第１先行制限補正レベルとして与え、▲２▼前記第２色に関しては、前記第２先行補正係数を用いた第２先行制限処理を前記第１駆動信号の前記第２レベルに実行して得られる第２先行制限レベルを、前記第１駆動信号の前記第２レベルに対する、前記第１駆動信号の第２先行制限補正レベルとして与え、且つ、▲３▼前記第３色に関しては、前記第３先行補正係数を用いた第３先行制限処理を前記第１駆動信号の前記第３レベルに実行して得られる第３先行制限レベルを、前記第１駆動信号の前記第３レベルに対する、前記第１駆動信号の第３先行制限補正レベルとして与える先行制限補正テーブルデータを生成する手段と、
（ｅ−１）  前記先行制限補正テーブルデータに基づき前記先行変換テーブルデータを決定し、前記先行変換テーブルデータを前記第２制御信号として出力する手段と、
（ｄ−２）  前記先行変換テーブルデータの出力後であって且つ前記第２補正期間の到来前の時点において、▲１▼前記第１色に関しては、前記第１補正係数を用いた第１制限処理を前記第１駆動信号の前記第１レベルに実行して得られる第１制限レベルを、前記第１駆動信号の前記第１レベルに対する、前記第１駆動信号の第１制限補正レベルとして与え、▲２▼前記第２色に関しては、前記第２補正係数を用いた第２制限処理を前記第１駆動信号の前記第２レベルに実行して得られる第２制限レベルを、前記第１駆動信号の前記第２レベルに対する、前記第１駆動信号の第２制限補正レベルとして与え、且つ、▲３▼前記第３色に関しては、前記第３補正係数を用いた第３制限処理を前記第１駆動信号の前記第３レベルに実行して得られる第３制限レベルを、前記第１駆動信号の前記第３レベルに対する、前記第１駆動信号の第３制限補正レベルとして与える制限補正テーブルデータを生成する手段と、
（ｅ−２）  前記第２補正期間の到来前において、前記制限補正テーブルデータに基づき前記変換テーブルデータを決定し、前記変換テーブルデータを前記第２制御信号として出力する手段とを更に有することを特徴とする、
カラーディスプレイ装置。
【手続補正２】
【補正対象書類名】明細書
【補正対象項目名】００１０
【補正方法】変更
【補正の内容】
【００１０】
【課題を解決するための手段】
この発明に係るカラーディスプレイ装置は、入力３原色信号に対してガンマ補正を行い、補正後の被補正３原色信号を出力するガンマ補正手段と、前記ガンマ補正手段の前記被補正３原色信号に基づき、前記入力３原色信号によって与えられる第１画像を表示する画像表示部と、前記被補正３原色信号のそれぞれに対して１画面当りに関する平均化処理を行って、前記入力３原色信号それぞれの平均の明るさを与える被平均化３原色信号を生成して出力する平均の明るさ算出手段と、少なくとも１種類の測定用１画面を与える３原色テストパターン信号を出力するテストパターン発生手段と、前記画像表示部の発光特性と同一の発光特性、及び前記画像表示部の経時変化特性と同一の経時変化特性を有し、通常動作期間においては前記被平均化３原色信号に対応する第２画像を表示する一方、補正期間においては前記３原色テストパターン信号に対応する第３画像を表示する測定用表示部と、前記測定用表示部の表示面に対向して配置され、前記補正期間において前記測定用表示部が表示する前記第３画像の前記３原色の明るさを検出して、被検出３原色明るさ信号を出力する光センサと、前記被検出３原色明るさ信号に基づいて、前記第１画像のホワイトバランスを補正する変換データを生成して出力するガンマ補正制御部とを備え、前記ガンマ補正手段は、前記変換データに基づき前記ガンマ補正を行うことを特徴とする。